(57)【要約】【課題】固定対象物に対して垂直上向きの風荷重がかかる場所においても強い保持力を確保できる取り付け部材、この取り付け部材を用いた太陽光発電システム、この取り付け部材を用いた固定対象物施行方法を提供する。【解決手段】取り付け部材１は、固定対象物としての桟部材１０１ｓを固定する固定部材１０ｐが配置される固定部材配置部１０と、取り付け位置となる取り付け対象部２０１を挟むように相互に対向する一対の延長対向部２０と、一対の延長対向部２０から固定部材配置部１０の方へ取り付け対象部２０１に沿うようにそれぞれ延長された一対の立ち上げ延長部２６とを備える。一対の立ち上げ延長部２６は、固定部材配置部１０へ向かう立ち上げ方向Ｄｖで凹凸構造を備える。【選択図】図１
2011017175.tif 000002
【特許請求の範囲】
【請求項１】
固定対象物を固定する固定部材が配置される固定部材配置部と、取り付け位置となる取り付け対象部を挟むように相互に対向する一対の延長対向部とを備える取り付け部材であって、
前記一対の延長対向部から前記固定部材配置部の方へ前記取り付け対象部に沿うようにそれぞれ延長された一対の立ち上げ延長部を備え、
前記一対の立ち上げ延長部は、前記固定部材配置部へ向かう立ち上げ方向で凹凸構造を備えること
を特徴とする取り付け部材。
【請求項２】
請求項１に記載の取り付け部材であって、
前記立ち上げ方向での前記凹凸構造は、互いに他方の変位に沿うように変位した形状を備えること
を特徴とする取り付け部材。
【請求項３】
請求項１または請求項２に記載の取り付け部材であって、
前記立ち上げ延長部は、前記立ち上げ方向と交差し前記取り付け対象部に沿う幅方向で凹凸構造を備えること
を特徴とする取り付け部材。
【請求項４】
請求項１から請求項３までのいずれか一つに記載の取り付け部材であって、
前記延長対向部は、前記延長対向部相互間の間隔を狭くして前記立ち上げ延長部に前記取り付け対象部を挟持させる締結部材が配置される締結部材配置部を備えること
を特徴とする取り付け部材。
【請求項５】
請求項１から請求項４までのいずれか一つに記載の取り付け部材であって、
前記延長対向部は、前記固定部材配置部の両端から延長されていること
を特徴とする取り付け部材。
【請求項６】
請求項５に記載の取り付け部材であって、
前記固定部材配置部、前記延長対向部、および前記立ち上げ延長部は、折り曲げ加工された１枚の金属板で形成されていること
を特徴とする取り付け部材。
【請求項７】
請求項１から請求項６までのいずれか一つに記載の取り付け部材であって、
前記延長対向部と前記立ち上げ延長部との間に配置された一対の内向き延長部を備え、
前記内向き延長部は、前記取り付け対象部が配置された取り付け基礎面に対向する対向面を備えること
を特徴とする取り付け部材。
【請求項８】
請求項１から請求項７までのいずれか一つに記載の取り付け部材であって、
前記固定対象物は、太陽電池モジュールであり、前記太陽電池モジュールは、前記固定部材配置部に固定され、前記取り付け対象部は、折板屋根に形成されたはぜ部であること
を特徴とする取り付け部材。
【請求項９】
太陽電池モジュールを備えた太陽光発電システムであって、
前記太陽電池モジュールは、取り付け部材によって取り付け位置である取り付け対象部に取り付けられており、
前記取り付け部材は、請求項１から請求項８までのいずれか一つに記載の取り付け部材であること
を特徴とする太陽光発電システム。
【請求項１０】
固定対象物を取り付け部材に固定して設置する固定対象物施工方法であって、
前記固定対象物を固定する取り付け部材を取り付け対象部に取り付ける取り付け部材取り付け工程と、
前記固定対象物を前記取り付け部材に固定する固定対象物固定工程とを備え、
前記取り付け部材は、請求項１から請求項８までのいずれか一つに記載の取り付け部材であり、前記取り付け対象部は、前記取り付け部材によって変形されていること
を特徴とする固定対象物施工方法。
【発明の詳細な説明】
【技術分野】
【０００１】
本発明は、取り付け対象部を挟むように対向する一対の延長対向部を備える取り付け部材、取り付け部材を用いて太陽電池モジュールを取り付け対象部に取り付けた太陽光発電システム、および、固定対象物を設置する固定対象物施行方法に関する。
【背景技術】
【０００２】
近年、化石燃料の消費増大に起因する地球環境問題、エネルギー枯渇問題等の深刻化に伴い、住宅の屋根に太陽電池モジュールを設置してクリーンな太陽エネルギーを利用する太陽光発電システムが注目されている。併せて、学校、公共施設、工場などの屋上や屋根などに太陽電池モジュールを設置する大規模な太陽光発電システムにも注目が集まっている。
【０００３】
学校、公共施設、工場などの屋上や屋根の形状は、折板屋根とされることが多く、折板屋根への太陽電池モジュールの取り付けに適用できる取り付け部材として例えば雪止め金具（例えば、特許文献１参照。）を改良したものが採用されているのが現状である。
【０００４】
取り付け対象部としての折板屋根のはぜ部に太陽電池モジュールなどの固定対象物を設置する際には、特許文献１に記載された雪止め金具を改良したものを転用して折板屋根（取り付け基礎面）のはぜ部（取り付け対象部）と太陽電池モジュール（固定対象物）を固定する方法が一般的である。
【０００５】
取り付け基礎面の取り付け位置（折板屋根のはぜ部）へ固定対象物を固定する際に用いられる雪止め金具は、本来、屋根の上に積もった雪が解け屋根から落雪し地上に及ぼす被害を防ぐ目的のものである。この目的を達成するため、雪止め金具は屋根に降り積もった雪が重力によりずり落ちようとする際に発生する屋根面に対して平行方向（水平方向）で発生する力への耐荷重が考慮された構造が提案されている。例えば、屋根面に対する平行方向での耐荷重を考慮した雪止め金具が提案されている（例えば、特許文献２参照。）。
【０００６】
特許文献２に記載の雪止め金具は、屋根面に対する平行方向で凹凸構造が形成されている。つまり、凹凸構造によってはぜ部に対する機械的な連結強度を確保し、雪止め金具が雪の重さに負けて屋根面に対する平行方向へ移動することを防いでいる。他方、屋根面に対する垂直方向での荷重に関してはほとんど考慮されていない。つまり、特許文献２に記載の雪止め金具は、はぜ部を単に強く挟持して得られる摩擦力によって垂直方向での荷重に対抗する構造となっている。
【０００７】
上述した従来の雪止め金具を改良したものを太陽電池モジュールの固定に用いた場合の問題点について説明する。
【０００８】
面状の太陽電池モジュール（固定対象物）の固定に雪止め金具を適用した場合、太陽電池モジュールは、取り付け基礎面（折板屋根）と平行に配置される。このような取り付け状態の下で、太陽電池モジュールと折板屋根との間を強い風が吹き抜けた場合、風は、太陽電池モジュールと折板屋根との間の狭い空間を通過することから、屋根に対して太陽電池モジュールを垂直方向へ持ち上げる風荷重（浮力）が加わる。
【０００９】
つまり、従来の雪止め金具が想定していた力のかかる方向（屋根面に対して平行方向）と、太陽電池モジュールを固定するために用いる金具（雪止め金具を改良したもの）にかかる力の方向（屋根面に垂直上向き方向）とは異なっている。したがって、太陽電池モジュールを臨海部などの強い風の吹く場所に設置した場合、太陽電池モジュールに加わる垂直上向き方向での風荷重に対する対策が別途必要となるという問題があった。
【００１０】
また、特許文献１、特許文献２に開示された雪止め金具では、複数の板材を用いていることから、施工作業が複雑となり、作業性が低いという問題がある。さらに、複数の板材を用いていることから、安価に製造することができないというコスト的な問題もあった。
【先行技術文献】
【特許文献】
【００１１】
【特許文献１】実開昭６２−４０１２２号公報
【特許文献２】実公平７−４２５１号公報
【発明の概要】
【発明が解決しようとする課題】
【００１２】
本発明は、かかる事情に鑑みてなされたものであり、取り付け基礎面に設置された固定対象物に対して垂直上向きの風荷重がかかる場所においても強い保持力を確保することができる取り付け部材を提供することを目的とする。
【００１３】
また、本発明は、取り付け部材によって取り付け対象部に取り付けられた太陽電池モジュールを備えた太陽光発電システムであって、取り付け部材を本発明に係る取り付け部材とすることにより、強風などの外力に対抗することが可能で、設置場所による強風などの影響を排除して高い信頼性を確保することができる太陽光発電システムを提供することを他の目的とする。
【００１４】
また、本発明は、固定対象物を本発明に係る取り付け部材に固定して設置する固定対象物固定工程を備えることによって、取り付け対象部に固定対象物を確実に、かつ強固に信頼性良く設置することができる固定対象物施行方法を提供することを他の目的とする。
【課題を解決するための手段】
【００１５】
本発明に係る取り付け部材は、固定対象物を固定する固定部材が配置される固定部材配置部と、取り付け位置となる取り付け対象部を挟むように相互に対向する一対の延長対向部とを備える取り付け部材であって、前記一対の延長対向部から前記固定部材配置部の方へ前記取り付け対象部に沿うようにそれぞれ延長された一対の立ち上げ延長部を備え、前記一対の立ち上げ延長部は、前記固定部材配置部へ向かう立ち上げ方向で凹凸構造を備えることを特徴とする。
【００１６】
したがって、本発明に係る取り付け部材は、取り付け対象部の両側に配置した立ち上げ延長部が備える立ち上げ方向の凹凸構造によって取り付け対象部を両側から締め付けることが可能となるので、立ち上げ方向での耐荷重力を向上させることにより、固定対象物を取り付け対象部に強い保持力で強固に取り付けることができる。つまり、固定対象物に対して垂直上向きの風荷重（浮力）が加わる場所においても強い保持力を確保することができる。
【００１７】
また、本発明に係る取り付け部材では、前記立ち上げ方向での前記凹凸構造は、互いに他方の変位に沿うように変位した形状を備えることを特徴とする。
【００１８】
したがって、本発明に係る取り付け部材は、立ち上げ延長部の立ち上げ方向での凹凸構造によって取り付け対象部を凹凸構造に沿うように変形させることが可能となるので、立ち上げ延長部の取り付け対象部に対する締め付けをより強固にすることができ、取り付け部材が取り付け対象部から分離されることを防止することができる。
【００１９】
また、本発明に係る取り付け部材では、前記立ち上げ延長部は、前記立ち上げ方向と交差し前記取り付け対象部に沿う幅方向で凹凸構造を備えることを特徴とする。
【００２０】
したがって、本発明に係る取り付け部材は、立ち上げ延長部が備える幅方向の凹凸構造によって取り付け対象部を両側から締め付けることが可能となるので、幅方向での耐荷重力を向上させて、固定対象物を取り付け対象部に強固に取り付けることができる。
【００２１】
また、本発明に係る取り付け部材では、前記延長対向部は、前記延長対向部相互間の間隔を狭くして前記立ち上げ延長部に前記取り付け対象部を挟持させる締結部材が配置される締結部材配置部を備えることを特徴とする。
【００２２】
したがって、本発明に係る取り付け部材は、立ち上げ延長部による取り付け対象部の挟持を容易に実行することが可能となる。
【００２３】
また、本発明に係る取り付け部材では、前記延長対向部は、前記固定部材配置部の両端から延長されていることを特徴とする。
【００２４】
したがって、本発明に係る取り付け部材は、簡単な構造で部品点数を低減することが可能となり、作業性、信頼性を向上させることができる。
【００２５】
また、本発明に係る取り付け部材では、前記固定部材配置部、前記延長対向部、および前記立ち上げ延長部は、折り曲げ加工された１枚の金属板で形成されていることを特徴とする。
【００２６】
したがって、本発明に係る取り付け部材は、部品点数を低減することが可能となることから、構成が簡単となり、製造および取り付けが容易で、作業性の高い取り付け部材となる。
【００２７】
また、本発明に係る取り付け部材では、前記延長対向部と前記立ち上げ延長部との間に配置された一対の内向き延長部を備え、前記内向き延長部は、前記取り付け対象部が配置された取り付け基礎面に対向する対向面を備えることを特徴とする。
【００２８】
したがって、本発明に係る取り付け部材は、取り付け基礎面に対向面を対向させることが可能となるので、固定部材配置部の天面と取り付け基礎面との平行性を容易に確保することが可能となり、施工性を向上させることができるなどの利点を生じる。
【００２９】
また、本発明に係る取り付け部材では、前記固定対象物は、太陽電池モジュールであり、前記太陽電池モジュールは、前記固定部材配置部に固定され、前記取り付け対象部は、折板屋根に形成されたはぜ部であることを特徴とする。
【００３０】
したがって、本発明に係る取り付け部材は、太陽電池モジュールを取り付け対象部としての折板屋根のはぜ部に固定することから、多数の太陽電池モジュールを容易かつ強固に折板屋根のはぜ部へ取り付けることが可能となり、荷重に対する耐力を向上させ、耐環境に対する信頼性を向上させた太陽光発電システムを構成することができる。
【００３１】
また、本発明に係る太陽光発電システムは、太陽電池モジュールを備えた太陽光発電システムであって、前記太陽電池モジュールは、取り付け部材によって取り付け位置である取り付け対象部に取り付けられており、前記取り付け部材は、本発明に係る取り付け部材であることを特徴とする。
【００３２】
したがって、本発明に係る太陽光発電システムは、太陽電池モジュールを取り付け位置である取り付け対象部に強固に取り付けできることから、強風などの外力に対抗することが可能となるので、設置場所による強風などの影響を排除して高い信頼性を確保することができる。
【００３３】
また、本発明に係る固定対象物施工方法は、固定対象物を取り付け部材に固定して設置する固定対象物施工方法であって、前記固定対象物を固定する取り付け部材を取り付け対象部に取り付ける取り付け部材取り付け工程と、前記固定対象物を前記取り付け部材に固定する固定対象物固定工程とを備え、前記取り付け部材は、本発明に係る取り付け部材であり、前記取り付け対象部は、前記取り付け部材によって変形されていることを特徴とする。
【００３４】
したがって、本発明に係る固定対象物施工方法は、取り付け位置である取り付け対象部に固定対象物を確実に、かつ強固に信頼性良く設置することができる。また、安価で作業性の高い取り付け部材を適用することから、固定対象物の施工を安価で作業性良く実行することができる。
【発明の効果】
【００３５】
本発明に係る取り付け部材は、固定対象物を固定する固定部材が配置される固定部材配置部と、取り付け位置となる取り付け対象部を挟むように相互に対向する一対の延長対向部とを備える取り付け部材であって、一対の延長対向部から固定部材配置部の方へ取り付け対象部に沿うようにそれぞれ延長された一対の立ち上げ延長部を備え、一対の立ち上げ延長部は、固定部材配置部へ向かう立ち上げ方向で凹凸構造を備えることを特徴とする。
【００３６】
したがって、本発明に係る取り付け部材は、取り付け対象部の両側に配置した立ち上げ延長部が備える立ち上げ方向の凹凸構造によって取り付け対象部を両側から締め付けることが可能となるので、立ち上げ方向での耐荷重力を向上させることにより、固定対象物を取り付け対象部に強い保持力で強固に取り付けることができるという効果を奏する。つまり、固定対象物に対して垂直上向きの風荷重（浮力）が加わる場所においても強い保持力を確保することができる。
【００３７】
また、本発明に係る太陽光発電システムは、太陽電池モジュールを備えた太陽光発電システムであって、太陽電池モジュールは、取り付け部材によって取り付け位置である取り付け対象部に取り付けられており、取り付け部材は、本発明に係る取り付け部材であることを特徴とする。
【００３８】
したがって、本発明に係る太陽光発電システムは、太陽電池モジュールを取り付け位置である取り付け対象部に強固に取り付けできることから、強風などの外力に対抗することが可能となるので、設置場所による強風などの影響を排除して高い信頼性を確保することができるという効果を奏する。
【００３９】
また、本発明に係る固定対象物施工方法は、固定対象物を取り付け部材に固定して設置する固定対象物施工方法であって、固定対象物を固定する取り付け部材を取り付け対象部に取り付ける取り付け部材取り付け工程と、固定対象物を取り付け部材に固定する固定対象物固定工程とを備え、取り付け部材は、本発明に係る取り付け部材であり、取り付け対象部は、取り付け部材によって変形されていることを特徴とする。
【００４０】
したがって、本発明に係る固定対象物施工方法は、取り付け位置である取り付け対象部に固定対象物を確実に、かつ強固に信頼性良く設置することができるという効果を奏する。また、安価で作業性の高い取り付け部材を適用することから、固定対象物の施工を安価で作業性良く実行することができる。
【図面の簡単な説明】
【００４１】
【図１】本発明の実施の形態１に係る取り付け部材と取り付け対象部、固定対象物との位置関係を概念的に示す側面図である。
【図２Ａ】図１に示した取り付け部材を拡大して示す拡大側面図である。
【図２Ｂ】図２Ａの矢符Ｂ方向から見たときの取り付け部材の底面を示す拡大底面図である。
【図３】本発明の実施の形態２に係る取り付け部材を取り付け対象部に取り付けて取り付け対象部を変形させた状態を概念的に示す側面図である。
【図４】図３に示した取り付け部材と取り付け対象部との関係を取り付け基礎面の側から対向面を見た状態として示す部分断面を含む底面図である。
【図５】本発明の実施の形態３に係る取り付け部材と取り付け対象部、固定対象物との位置関係を概念的に示す側面図である。
【図６】本発明の実施の形態４に係る固定対象物施行方法によって設置した固定対象物の設置状態を概念的に示す側面図である。
【図７Ａ】本発明の実施の形態５に係る太陽光発電システムの太陽電池モジュールを折板屋根に配置した状態を概念的に示す平面図である。
【図７Ｂ】図７Ａに示した太陽光発電システムの太陽電池モジュールの矢符Ｂ方向での側面状態を概念的に示す側面図である。
【図８】本発明の実施の形態５に係る太陽光発電システムの概略構成を概念的に示す斜視図である。
【発明を実施するための形態】
【００４２】
以下、本発明の実施の形態を図面に基づいて説明する。
【００４３】
＜実施の形態１＞
図１ないし図２Ｂに基づいて、本実施の形態に係る取り付け部材について説明する。
【００４４】
図１は、本発明の実施の形態１に係る取り付け部材と取り付け対象部、固定対象物との位置関係を概念的に示す側面図である。
【００４５】
図２Ａは、図１に示した取り付け部材を拡大して示す拡大側面図である。
【００４６】
図２Ｂは、図２Ａの矢符Ｂ方向から見たときの取り付け部材の底面を示す拡大底面図である。なお、図２Ｂでは、図面の見易さを考慮して締結部材２３、固定部材１０ｐの図示は省略している。
【００４７】
本実施の形態に係る取り付け部材１は、固定対象物としての桟部材１０１ｓを固定する固定部材１０ｐ（例えば、一対のボルト・ナットなど）が配置される固定部材配置部１０と、取り付け位置となる取り付け対象部２０１（例えば、折板屋根のはぜ部など）を挟むように相互に対向する一対の延長対向部２０とを備える。桟部材１０１ｓは、固定対象物１０１（図６参照）としての太陽電池モジュールを保持する。つまり、取り付け部材１に対して、桟部材１０１ｓは直接的に固定され、太陽電池モジュールは間接的に固定される。本願では、桟部材１０１ｓおよび固定対象物１０１（太陽電池モジュール）のいずれも取り付け部材１に対する固定対象物として位置づけて説明する。
【００４８】
なお、本実施の形態では、固定対象物１０１としての太陽電池モジュールを保持する桟部材１０１ｓを介して太陽電池モジュールが固定される形態として説明するが、太陽電池モジュール（太陽電池パネルにフレームを取り付けたもの）が有するフレームの形状を固定部材１０ｐおよび固定部材配置部１０に適合させて太陽電池モジュールを固定部材配置部１０に直接固定することも可能である。つまり、桟部材１０１ｓを省略して固定対象物１０１としての太陽電池モジュールを取り付け部材１に直接固定することも可能である。
【００４９】
また、取り付け部材１は、一対の延長対向部２０から固定部材配置部１０の方へ取り付け対象部２０１に沿うようにそれぞれ延長された一対の立ち上げ延長部２６を備え、一対の立ち上げ延長部２６は、固定部材配置部１０へ向かう立ち上げ方向Ｄｖで凹凸構造を備える。
【００５０】
したがって、取り付け部材１は、取り付け対象部２０１の両側に配置した立ち上げ延長部２６が備える立ち上げ方向Ｄｖの凹凸構造によって取り付け対象部２０１を両側から締め付けることが可能となるので、立ち上げ方向Ｄｖでの耐荷重力を向上させることにより、固定対象物１０１を取り付け対象部２０１に強い保持力で強固に取り付けることができる。つまり、固定対象物１０１に対して垂直上向きの風荷重（浮力）が加わる場所においても強い保持力を確保することができる。
【００５１】
延長対向部２０は、固定部材配置部１０の両端から延長されている。したがって、取り付け部材１は、簡単な構造で部品点数を低減することが可能となり、作業性、信頼性を向上させることができる。
【００５２】
また、固定部材配置部１０、延長対向部２０、および立ち上げ延長部２６は、折り曲げ加工された１枚の金属板で形成されている。したがって、取り付け部材１は、部品点数を低減することが可能となることから、構成が簡単となり、製造および取り付けが容易で、安価で作業性の高い取り付け部材となる。なお、金属板としては、剛性と可撓性との両方を備えることが可能な銅板、ステンレス板などを適用することができる。また、剛性は、板厚を変更することによって適切な値に設定することができる。
【００５３】
つまり、金属板の剛性は、取り付け対象部２０１の剛性より大きい構成とされている。したがって、取り付け部材１は、立ち上げ延長部２６によって取り付け対象部２０１を変形させて挟持することが容易となるので、取り付け対象部２０１に対する立ち上げ延長部２６の締め付けを確実に実行することができる。
【００５４】
本実施の形態に係る取り付け部材１は、立ち上げ方向Ｄｖでの凹凸構造を立ち上げ延長部２６に持たせたことから、取り付け対象部２０１に対する十分な締結力を持たせることが可能となり、取り付け部材１は、１枚の金属板で形成したシンプルな構造とすることが可能となった。
【００５５】
取り付け部材１（立ち上げ延長部２６）において、立ち上げ方向Ｄｖでの凹凸構造は、互いに他方の変位に沿うように変位した形状を備える。つまり、凹凸構造は、相互に他方の凹凸構造に嵌合する形態とされている。
【００５６】
したがって、取り付け部材１は、立ち上げ延長部２６の立ち上げ方向Ｄｖでの凹凸構造によって取り付け対象部２０１を凹凸構造に沿うように変形させることが可能となる（図３参照）ので、立ち上げ延長部２６の取り付け対象部２０１に対する締め付けをより強固にすることができ、取り付け部材１が取り付け対象部２０１から分離されることを防止することができる。
【００５７】
なお、立ち上げ方向Ｄｖでの凹凸構造が無い場合は、平板状の立ち上げ延長部２６が平板状の取り付け対象部２０１を両側から挟むだけであり、取り付け部材１と取り付け対象部２０１との間には対向した平板に基づく摩擦力が作用するだけである。したがって、立ち上げ延長部２６が取り付け対象部２０１に沿って立ち上げ方向Ｄｖで浮力を受けて上方へ移動した場合、巻き込み結合部２０１ｗがストッパーとなるようにも考えられるが、巻き込み結合部２０１ｗは、２枚の板金を単純に巻き込んだだけであり、強い力が加わると巻き込みが解けたり、ときによっては千切れたりすることがある。
【００５８】
しかし、本実施の形態に係る取り付け部材１によれば、立ち上げ延長部２６が立ち上げ方向Ｄｖに凹凸構造を備えることから、上述した問題は確実に解消される。
【００５９】
立ち上げ延長部２６は、立ち上げ方向Ｄｖと交差し取り付け対象部２０１に沿う幅方向Ｄｗで凹凸構造を備える。したがって、取り付け部材１は、立ち上げ延長部２６が備える幅方向Ｄｗの凹凸構造によって取り付け対象部２０１を両側から締め付けることが可能となるので、幅方向Ｄｗでの耐荷重力を向上させて、固定対象物１０１を取り付け対象部２０１に強固に取り付けることができる。
【００６０】
立ち上げ延長部２６における幅方向Ｄｗでの凹凸構造は、互いに他方の変位に沿うように変位した形状を備える。したがって、取り付け部材１は、立ち上げ延長部２６の幅方向Ｄｗでの凹凸構造によって取り付け対象部２０１を凹凸構造に沿うように変形させることが可能となるので、立ち上げ延長部２６の取り付け対象部２０１に対する締め付けをより強固にすることができ、取り付け部材１が取り付け対象部２０１から分離されることを防止することができる。
【００６１】
なお、取り付け対象部２０１は、例えば折板屋根である取り付け基礎面２００から立ち上げられた屋根板を突き合わせ、先端を巻き込んで形成した巻き込み結合部２０１ｗを備えている。一般的には、巻き込み結合部２０１ｗは、巻き込んだ状態で潰してあることから一定の強度を有するが、一方向での巻き込みであることから、立ち上げ方向Ｄｖで立ち上げ延長部２６が移動すると、巻き込みが解除される恐れが生じる。
【００６２】
しかし、取り付け部材１（立ち上げ延長部２６）は、立ち上げ方向Ｄｖでの凹凸構造、あるいは、幅方向Ｄｗでの凹凸構造を備えることから、巻き込み結合部２０１ｗの巻き込みが解除されるような現象を防止することができ、固定対象物１０１の設置信頼性を向上させることができる。
【００６３】
立ち上げ延長部２６は、立ち上げ方向Ｄｖでの凹凸構造、幅方向Ｄｗでの凹凸構造を備える。したがって、取り付け基礎面２００の取り付け対象部２０１は、三次元に変形された状態で取り付け部材１により挟持される。つまり、取り付け対象部２０１の強度は、平面のまま挟持される場合、もしくは、２次元に変形され挟持される場合に比較してさらに向上する。
【００６４】
また、取り付け部材１は、延長対向部２０と立ち上げ延長部２６との間に配置された一対の内向き延長部２４を備え、内向き延長部２４は、取り付け対象部２０１が配置された取り付け基礎面２００に対向する対向面２８を備える。
【００６５】
したがって、取り付け部材１を取り付け対象部２０１に取り付けるとき、取り付け基礎面２００に対向面２８を対向させることが可能となるので、固定部材配置部１０の天面と取り付け基礎面２００との平行性を容易に確保することが可能となり、施工性を向上させることができる。
【００６６】
また、立ち上げ方向Ｄｖからずれた向きに力が働く場合があり、対向面２８を取り付け基礎面２００に当接させたときは、対向面２８と取り付け基礎面２００とを接触させていることから、固定性（安定性）が向上し、ずれ方向での外力による影響を抑制することができる。
【００６７】
なお、対向面２８と取り付け基礎面２００とは必ずしも当接させる必要はない。しかし、対向面２８を取り付け基礎面２００に対して当接させたときは、固定対象物１０１（桟部材１０１ｓ）が取り付け部材１を介して取り付け基礎面２００に及ぼす重量の影響を対向面２８の面積に応じて分散させることが可能となる。
【００６８】
延長対向部２０は、延長対向部２０相互間の間隔を狭くして立ち上げ延長部２６に取り付け対象部２０１を挟持させる締結部材２３が配置される締結部材配置部２２を備える。したがって、取り付け部材１は、立ち上げ延長部２６による取り付け対象部２０１の挟持を容易に実行することが可能となる。
【００６９】
延長対向部２０と固定部材配置部１０との間には、適宜に設けられた折り曲げ部１０ｃがあり、固定部材配置部１０と延長対向部２０とは互いに交差する方向に折り曲げられて配置される。したがって、締結部材２３で延長対向部２０を相互に締め付けた場合でも、一対の延長対向部２０は、相互に対向性を保持することが可能であり、立ち上げ延長部２６によって取り付け対象部２０１を確実に挟持することができる。なお、締結部材２３は、ボルト２３ｐおよびナット２３ｒの組み合わせで構成することが可能である。
【００７０】
締結部材配置部２２は、立ち上げ方向Ｄｖで、立ち上げ延長部２６の先端と固定部材配置部１０との間に配置されている。したがって、取り付け部材１は、締結部材配置部２２に配置した締結部材２３によって延長対向部２０の相互間の間隔を容易に調整することができるので、取り付け対象部２０１に対する締結を容易に実行することができる。
【００７１】
本実施の形態に係る取り付け部材１は、立ち上げ延長部２６が有する凹凸構造で十分に強固な締結が可能となることから、延長対向部２０を狭めるための締結部材２３は、ボルト２３ｐとナット２３ｒの一組という簡単な構造で良いことから、さらに構造を簡略化することができる。
【００７２】
なお、本実施の形態に係る取り付け部材１が適用される対象としては、上述したとおり、太陽電池モジュール（固定対象物１０１）の設置、固定がある。
【００７３】
つまり、固定対象物１０１は、太陽電池モジュール（図６、図７Ａ、図７Ｂ参照）であり、太陽電池モジュールは、太陽電池モジュールを保持する桟部材１０１ｓを介して固定部材配置部１０に固定され、取り付け対象部２０１は、折板屋根に形成されたはぜ部（図６参照）である。
【００７４】
したがって、取り付け部材１は、太陽電池モジュールを保持する桟部材１０１ｓを取り付け対象部２０１としての折板屋根のはぜ部に固定することから、桟部材１０１ｓを介して多数の太陽電池モジュールを容易かつ強固に折板屋根のはぜ部へ取り付けて固定することが可能となり、荷重に対する耐力を向上させ、耐環境に対する信頼性を向上させた太陽光発電システム１００（図７Ａ、図７Ｂ、図８参照）を構成することができる。
【００７５】
また、上述したとおり、桟部材１０１ｓを省略し、太陽電池モジュール（固定対象物１０１）を取り付け部材１に直接取り付けて固定することも可能である。この場合の取り付け部材１においては、固定対象物１０１は、太陽電池モジュールであり、太陽電池モジュールは、固定部材配置部１０に固定され、取り付け対象部２０１は、折板屋根に形成されたはぜ部である。
【００７６】
したがって、本実施の形態に係る取り付け部材１は、太陽電池モジュールを取り付け対象部２０１としての折板屋根のはぜ部に固定することから、多数の太陽電池モジュールを容易かつ強固に折板屋根のはぜ部へ取り付けることが可能となり、荷重に対する耐力を向上させ、耐環境に対する信頼性を向上させた太陽光発電システム１００（図７Ａ、図７Ｂ、図８参照）を構成することができる。
【００７７】
固定部材配置部１０は、取り付け部材１の中で最も天面側に配置しておくことが望ましい。つまり、固定部材配置部１０を取り付け部材１の天面側に配置することによって、固定対象物１０１（桟部材１０１ｓ）を容易に固定することが可能となる。
【００７８】
上述したとおり、本実施の形態に係る取り付け部材１は、立ち上げ延長部２６の立ち上げ方向Ｄｖでの凹凸構造を有することから、取り付け基礎面２００（折板屋根の屋根面）に対して垂直方向の浮力（風荷重）が作用した場合でも、固定対象物１０１（太陽電池モジュール）を強固に保持することができ、信頼性の高い太陽電池モジュールの設置構造とすることができる。
【００７９】
また、立ち上げ延長部２６の立ち上げ方向Ｄｖでの凹凸構造に加えて、立ち上げ方向Ｄｖに対して交差する幅方向Ｄｗで凹凸構造を設けることによって、立ち上げ方向Ｄｖと交差する幅方向Ｄｗでの耐荷重力を向上させることができる。したがって、取り付け部材１は、固定対象物１０１を取り付け基礎面２００（取り付け対象部２０１）に取り付けたとき、全体として連結強度（取り付け強度）を向上させることができる。
【００８０】
また、本実施の形態に係る取り付け部材１は、固定対象物１０１としての太陽電池モジュールの取り付けに限らない。例えば、臨海部などの風の強い地域では、太陽光発電システム１００（図８参照）を構築するケーブルやラック、接続箱、さらには手すりなどの周辺装置に対しても取り付け基礎面２００に対する立ち上げ方向Ｄｖへの浮力（風荷重）が発生する。
【００８１】
したがって、取り付け部材１は、ケーブル、ラック、接続箱、手すりなどの周辺装置を固定する治具として適用することも可能であり、周辺装置（固定対象物）を確実にかつ強固に固定することができるという効果を有する。
【００８２】
＜実施の形態２＞
図３および図４に基づいて、本実施の形態に係る取り付け部材について説明する。
【００８３】
図３は、本発明の実施の形態２に係る取り付け部材を取り付け対象部に取り付けて取り付け対象部を変形させた状態を概念的に示す側面図である。
【００８４】
図４は、図３に示した取り付け部材と取り付け対象部との関係を取り付け基礎面の側から対向面を見た状態として示す部分断面を含む底面図である。
【００８５】
本実施の形態に係る取り付け部材１は、実施の形態１で示した取り付け部材１と同等であるので、符号を援用して主に異なる事項について説明する。
【００８６】
締結部材２３によって延長対向部２０の相互間の間隔を狭めると、延長対向部２０は、取り付け対象部２０１を両側から挟持する形態となる。したがって、取り付け部材１は、取り付け対象部２０１を両側から強固に挟持することが可能となり、固定対象物１０１を取り付け対象部２０１に対して強固に取り付けることができるようになる。
【００８７】
本実施の形態に係る取り付け部材１では、金属板の剛性は、取り付け対象部２０１の剛性より大きいことが望ましい。この構成によれば、取り付け部材１は、立ち上げ延長部２６によって取り付け対象部２０１を変形させて挟持することが容易となるので、取り付け対象部２０１に対する立ち上げ延長部２６の締め付けを確実に実行することができる。
【００８８】
つまり、取り付け対象部２０１は、取り付け対象部２０１より剛性の大きい取り付け部材１（立ち上げ延長部２６）で両側から教示されるので、立ち上げ延長部２６の凹凸構造（立ち上げ方向Ｄｖでの凹凸構造、幅方向Ｄｗでの凹凸構造）に沿って変形する。
【００８９】
したがって、立ち上げ延長部２６と取り付け対象部２０１との間で大きな摩擦力が作用することになり、取り付け部材１は、取り付け対象部２０１に対して強固に取り付けられることになる。
【００９０】
＜実施の形態３＞
図５に基づいて、本実施の形態に係る取り付け部材について説明する。
【００９１】
図５は、本発明の実施の形態３に係る取り付け部材と取り付け対象部、固定対象物との位置関係を概念的に示す側面図である。
【００９２】
本実施の形態に係る取り付け部材１は、実施の形態１、実施の形態２に示した取り付け部材１と同等であるので、符号を援用して主に異なる事項について説明する。
【００９３】
実施の形態１に係る取り付け部材１と本実施の形態に係る取り付け部材１との相違点は、固定部材配置部１０に対する延長対向部２０の連結関係である。実施の形態１に係る取り付け部材１は、固定部材配置部１０と延長対向部２０とは一体に形成されている。これに対し、本実施の形態に係る取り付け部材１は、固定部材配置部１０と延長対向部２０とは分離されて別部材として構成されている。
【００９４】
本実施の形態に係る取り付け部材１は、固定部材配置部１０に対する延長対向部２０の位置関係を確定するために、締結部材保持部１０ｈを備えた構成とされている。つまり、固定部材配置部１０は、締結部材２３を保持して一対の延長対向部２０を対向させる締結部材保持部１０ｈを備える。したがって、本発明に係る取り付け部材１は、固定部材配置部１０とは別部材として形成した延長対向部２０を固定部材配置部１０と連係させて取り付け対象部２０１に対向させることができる。
【００９５】
締結部材保持部１０ｈは、例えば、角柱状の外形、角柱状の管路を有する筒状であり、天面側の固定部材配置部１０に固定部材１０ｐを配置し、底面側の管路に締結部材２３を配置する構成とされている。なお、締結部材２３の位置を確実に確定するために締結部材２３の長さ方向に沿う形状の溝を予め形成しておき、溝に締結部材２３を配置する構成としておくことが望ましい。
【００９６】
つまり、締結部材２３を角柱状の端面に押し付けるように締め付けたとき、立ち上げ延長部２６は、取り付け対象部２０１に対して締め付け作用を生じ、取り付け対象部２０１を挟持することが可能な構成とされている。
【００９７】
本実施の形態に係る取り付け部材１では、延長対向部２０および立ち上げ延長部２６は、折り曲げ加工された１枚の金属板で形成されている。したがって、取り付け部材１は、部品点数を低減することが可能となることから、構成が簡単となり、製造および取り付けが容易で、作業性の高い取り付け部材となる。
【００９８】
本実施の形態に係る取り付け部材１では、金属板の剛性は、取り付け対象部２０１の剛性より大きい構成とされている。したがって、本発明に係る取り付け部材１は、立ち上げ延長部２６によって取り付け対象部２０１を変形させて挟持することが容易となるので、取り付け対象部２０１に対する立ち上げ延長部２６の締め付けを確実に実行することができる。
【００９９】
なお、延長対向部２０、締結部材配置部２２、内向き延長部２４、立ち上げ延長部２６、対向面２８の個々の構成、作用は、実施の形態１に係る取り付け部材１と同様であるので説明は省略する。また、桟部材１０１ｓ（固定対象部１０１）の構成も実施の形態１と同様である。
【０１００】
＜実施の形態４＞
図６に基づいて、本実施の形態に係る固定対象物を取り付け部材に固定して設置する固定対象物施工方法および太陽光発電システムについて説明する。なお、太陽光発電システムについては、実施の形態５でさらに説明する。
【０１０１】
図６は、本発明の実施の形態４に係る固定対象物施行方法によって設置した固定対象物の設置状態を概念的に示す側面図である。
【０１０２】
本実施の形態に係る固定対象物施工方法に適用する取り付け部材１は、実施の形態１ないし実施の形態３に示した取り付け部材１と同等であるので、符号を援用して主に異なる事項について説明する。
【０１０３】
本実施の形態に係る固定対象物施行方法では、先ず、固定対象物１０１（太陽電池モジュール）を固定する取り付け部材１を取り付け対象部２０１（例えば、折板屋根のはぜ部）に取り付ける（取り付け部材取り付け工程）。なお、本実施の形態では、固定対象物１０１としての太陽電池モジュールは、桟部材１０１ｓによって保持される構成とされている。
【０１０４】
一対の延長対向部２０の相互間隔を締結部材２３によって狭めると、締結部材２３の締結作用が立ち上げ延長部２６に生じるので、立ち上げ延長部２６は、取り付け対象部２０１に圧接されて固定される。なお、取り付け部材１（立ち上げ延長部２６）の剛性は、取り付け対象部２０１の剛性に比較して大きいことから、取り付け対象部２０１は、取り付け部材１（立ち上げ延長部２６）によって変形され、取り付け部材１は、確実にかつ強固に取り付け対象部２０１に取り付けられる。
【０１０５】
取り付け部材１を取り付け対象部２０１に取り付けた後、固定対象物１０１（太陽電池モジュールおよび桟部材１０１ｓ）を取り付け部材１に固定する（固定対象物固定工程）。つまり、固定対象物１０１（太陽電池モジュールおよび桟部材１０１ｓ）は、取り付け部材１（固定部材配置部１０に配置された固定部材１０ｐ）を介して取り付け対象部２０１（取り付け基礎面２００）に固定される。なお、固定部材１０ｐは、例えば、一対のボルト・ナットなどで構成することができる。
【０１０６】
具体的には、先ず、取り付け部材１が取り付け位置である取り付け対象部２０１（はぜ部）に固定される。次に、固定対象物でもある桟部材１０１ｓが取り付け部材１（固定部材配置部１０）に固定される。その後、固定対象物１０１（太陽電池モジュール）を桟部材１０１ｓに取り付ける。なお、固定対象物１０１（太陽電池モジュール）は、モジュール保持部材１０１ｈによって、桟部材１０１ｓに適宜保持される。モジュール保持部材１０１ｈとしては、鉤状の金属部材などを適宜適用することができる。
【０１０７】
上述したとおり、本実施の形態に係る固定対象物施工方法は、固定対象物１０１を取り付け部材１に固定して設置する固定対象物施工方法であって、固定対象物１０１を固定する取り付け部材１を取り付け対象部２０１に取り付ける取り付け部材取り付け工程と、固定対象物１０１を取り付け部材１に固定する固定対象物固定工程を備え、取り付け部材１は、実施の形態１ないし実施の形態３に記載の取り付け部材１であり、取り付け対象部２０１は、取り付け部材１によって変形されている。
【０１０８】
したがって、固定対象物施工方法は、取り付け位置である取り付け対象部２０１に固定対象物１０１（太陽電池モジュール）を確実に、かつ強固に信頼性良く取り付けることができる。また、安価で作業性の高い取り付け部材１を適用することから、固定対象物１０１の設置施工を安価で作業性良く実行することができる。
【０１０９】
なお、本実施の形態では、固定対象物１０１は、太陽電池モジュールである。したがって、固定対象物施行方法は、取り付け位置である取り付け対象部２０１に固定対象物１０１である太陽電池モジュールを確実に、かつ強固に信頼性良く設置することができる。固定対象物１０１を太陽電池モジュールとしたときの固定対象物施工方法は、太陽光発電システム施工方法でもある。また、固定対象物１０１を太陽電池モジュールとした場合は、太陽光発電システム１００を構成することが可能である。
【０１１０】
つまり、本実施の形態に係る固定対象物施工方法（太陽光発電システム施工方法）は、実施の形態１ないし実施の形態３に係る取り付け部材１を適用する。したがって、太陽電池モジュール（固定対象物１０１）が備え付けられる折板屋根のはぜ部（取り付け対象部２０１）に対する取り付け強度を向上させることが可能となり、ひいては設置された太陽電池モジュールと取り付け対象部２０１との一体性を向上させ、構造的に安定した太陽光発電システム１００を構築することができ、システム全体の構造強度を向上させ、信頼性を向上させることができる。
【０１１１】
上述したとおり、本実施の形態では、固定対象物１０１としての太陽電池モジュールは、太陽電池モジュールを保持する桟部材１０１ｓを介して取り付け対象部２０１に取り付けられ、固定されている。したがって、本実施の形態に係る固定対象物施行方法は、太陽電池モジュールを保持する桟部材１０１ｓを取り付け対象部２０１としての折板屋根のはぜ部に固定することから、桟部材１０１ｓを介して多数の太陽電池モジュール（固定対象物１０１）を容易かつ強固に折板屋根のはぜ部へ確実に、かつ強固に信頼性良く設置することができる。
【０１１２】
＜実施の形態５＞
図７Ａないし図８に基づいて、本実施の形態に係る太陽光発電システムについて説明する。
【０１１３】
図７Ａは、本発明の実施の形態５に係る太陽光発電システムの太陽電池モジュールを折板屋根に配置した状態を概念的に示す平面図である。
【０１１４】
図７Ｂは、図７Ａに示した太陽光発電システムの太陽電池モジュールの矢符Ｂ方向での側面状態を概念的に示す側面図である。
【０１１５】
図８は、本発明の実施の形態５に係る太陽光発電システムの概略構成を概念的に示す斜視図である。
【０１１６】
本実施の形態に係る太陽光発電システムに適用する取り付け部材１は、実施の形態１ないし実施の形態４に示した取り付け部材１と同等であるので、符号を援用して主に異なる事項について説明する。なお、固定対象物１０１は、太陽光によって電力を発生する太陽電池モジュールである。
【０１１７】
本実施の形態に係る太陽光発電システム１００は、太陽電池モジュール（固定対象物１０１）を備えた太陽光発電システム１００であって、太陽電池モジュールは、取り付け部材１によって取り付け位置である取り付け対象部２０１に取り付けられており、取り付け部材１は、実施の形態１ないし実施の形態４に記載の取り付け部材１である。なお、本実施の形態に係る太陽光発電システム１００は、太陽電池モジュールとパワーコンディショナ１０６とを備えている。
【０１１８】
したがって、太陽光発電システム１００は、太陽電池モジュールを取り付け位置である取り付け対象部２０１に強固に取り付けできることから、強風などの外力に対抗することが可能となるので、設置場所による強風などの影響を排除して高い信頼性を確保することができる。
【０１１９】
また、太陽光発電システム１００は、実施の形態４に係る固定対象物施工方法（太陽光発電システム施工方法）によって施工することができる。したがって、取り付け位置である取り付け対象部２０１に太陽電池モジュール（固定対象物１０１）を確実に、かつ強固に信頼性良く取り付けることができる。また、安価で作業性の高い取り付け部材１を適用することから、太陽光発電システムを作業性良く安価に構築することができる。
【０１２０】
本実施の形態に係る太陽光発電システム１００では、取り付け対象部２０１は、折板屋根（取り付け基礎面２００）のはぜ部である。したがって、太陽光発電システム１００は、折板屋根のはぜ部に太陽電池モジュールを設置して太陽光発電を行なうことができる。
【０１２１】
本実施の形態に係る太陽光発電システム１００は、太陽電池モジュールが発生した電力を負荷に供給するパワーコンディショナ１０６を備える。したがって、太陽光発電システム１００は、太陽電池モジュールが発生した電力を効率的に負荷に供給することが可能となり、有効でクリーンな電力供給源となる。
【０１２２】
なお、パワーコンディショナ１０６は、ケーブル１０６ｃを介して太陽電池モジュールが発電した直流電力を交流電力へ変換する。
【０１２３】
本実施の形態に係る太陽光発電システム１００では、固定対象物１０１（太陽電池モジュール）の固定に実施の形態１ないし実施の形態４に係る取り付け部材１を用いる。したがって、１個の取り付け部材１での耐荷重力（耐風荷重、耐浮力）は、従来のものに比較して高くできる。例えば、臨海部などの風が強い環境に太陽電池モジュールを設置するとき、特別な防風を施す必要がなくなり、また、従来の雪止め金具を転用して固定するときに比較して取り付け個数を減らすことが可能となるという大きな効果が得られる。
【０１２４】
また、複数の太陽電池モジュールを設置する場合、風荷重が大きくかかる部分が明らかなときは、その部分にのみ実施の形態１ないし実施の形態４に係る取り付け部材１を適用し、風荷重の低い部分には従来の雪止め金具を転用することも可能である。なお、風荷重に応じて取り付け部材１の単位面積当たりの取り付け個数を調整することも可能である。
【０１２５】
本実施の形態に係る太陽光発電システム１００では、太陽電池モジュール（固定対象物１０１）は、太陽電池モジュールを保持する桟部材１０１ｓ（固定対象物）を介して取り付け対象部２０１に取り付けられている。
【０１２６】
したがって、太陽光発電システム１００は、太陽電池モジュールを保持する桟部材１０１ｓを取り付け対象部２０１としての折板屋根のはぜ部に固定していることから、多数の太陽電池モジュール（固定対象物１０１）を容易かつ強固に折板屋根のはぜ部へ取り付けることが可能となり、荷重に対する耐力を向上させ、耐環境に対する信頼性を向上させた太陽光発電システムを構成することができる。
【符号の説明】
【０１２７】
１  取り付け部材
１０  固定部材配置部
１０ｃ  折り曲げ部
１０ｈ  締結部材保持部
１０ｐ  固定部材
２０  延長対向部
２２  締結部材配置部
２３  締結部材
２３ｐ  ボルト（締結部材）
２３ｒ  ナット（締結部材）
２４  内向き延長部
２６  立ち上げ延長部
２８  対向面
１００  太陽光発電システム
１０１  固定対象物（太陽電池モジュール）
１０１ｈ  モジュール保持部材
１０１ｓ  桟部材（固定対象物）
１０６  パワーコンディショナ
１０６ｃ  ケーブル
２００  取り付け基礎面（折板屋根）
２０１  取り付け対象部（はぜ部）
Ｄｖ  立ち上げ方向
Ｄｈ  水平方向
Ｄｗ  幅方向
【図１】
2011017175.tif 000003
【図２Ａ】
2011017175.tif 000004
【図２Ｂ】
2011017175.tif 000005
【図３】
2011017175.tif 000006
【図４】
2011017175.tif 000007
【図５】
2011017175.tif 000008
【図６】
2011017175.tif 000009
【図７Ａ】
2011017175.tif 000010
【図７Ｂ】
2011017175.tif 000011
【図８】
2011017175.tif 000012